(57)【要約】【課題】制御回路ユニットへの電磁波の影響を更に低減し、シールド構造の簡素化を図り、また、制御回路ユニットの発熱が抑制され、制御回路ユニットの交換を含むメンテナンス性の向上を図れるプロジェクターを提供する。【解決手段】プロジェクター１は光源装置２１を駆動する光源駆動ユニット７２と、光学ユニット２及び光源駆動ユニット７２を制御する制御回路ユニット５と、光源駆動ユニット７２及び制御回路ユニット５に電力を供給する電源ユニット７１と、光学ユニット２、光源駆動ユニット７２、制御回路ユニット５、及び電源ユニット７１を収容する外装筐体３と、を備え、外装筐体３は、厚さ方向に外装筐体３を分割する隔壁１０を有し、隔壁１０で分割された一方の外装筐体３Ａには、制御回路ユニット５が収容され、他方の外装筐体３Ｂには、光学ユニット２、光源駆動ユニット７２、及び電源ユニット７１が収容される。【選択図】図６
2012008183.tif 000002
【特許請求の範囲】
【請求項１】
光源から射出された光束を画像情報に基づき変調して光学像を形成し、当該光学像を拡大投写する光学ユニットを備えたプロジェクターであって、
前記光源を駆動する光源駆動ユニットと、
前記光学ユニット及び前記光源駆動ユニットを制御する制御回路ユニットと、
前記光源駆動ユニット及び前記制御回路ユニットに電力を供給する電源ユニットと、
前記光学ユニット、前記光源駆動ユニット、前記制御回路ユニット、及び前記電源ユニットを収容する外装筐体と、を備え、
前記外装筐体は、厚さ方向に当該外装筐体を分割する隔壁を有し、
前記隔壁で分割された一方の外装筐体には、前記制御回路ユニットが収容されることを特徴とするプロジェクター。
【請求項２】
請求項１に記載のプロジェクターであって、
前記一方の外装筐体には、前記制御回路ユニットを覆うと共に、着脱自在に設置される筐体を有していることを特徴とするプロジェクター。
【請求項３】
請求項１または請求項２に記載のプロジェクターであって、
前記外装筐体を机上に設置した場合、前記一方の外装筐体は、他方の外装筐体より下側に配置されていることを特徴とするプロジェクター。
【請求項４】
請求項１〜請求項３のいずれか一項に記載のプロジェクターであって、
前記隔壁を通して、前記一方の外装筐体と前記他方の外装筐体とを連通する貫通孔を有し、
前記制御回路ユニットは、前記貫通孔を介して前記他方の外装筐体に収容される前記光学ユニット、前記光源駆動ユニット、及び前記電源ユニットの少なくともいずれかと、ケーブルにより電気的に接続されていることを特徴とするプロジェクター。
【請求項５】
請求項４に記載のプロジェクターであって、
前記他方の外装筐体の内部には、前記光学ユニット、前記光源駆動ユニット、及び前記電源ユニットの少なくともいずれかと、前記制御回路ユニットとの間に電気的に接続されて中継する中継基板ユニットを備え、
前記中継基板ユニットは、前記制御回路ユニットと前記ケーブルにより電気的に接続することを特徴とするプロジェクター。
【請求項６】
請求項４または請求項５に記載のプロジェクターであって、
前記貫通孔の近傍には、前記ケーブルの移動を規制する規制部が形成されていることを特徴とするプロジェクター。
【発明の詳細な説明】
【技術分野】
【０００１】
本発明は、プロジェクターに関する。
【背景技術】
【０００２】
従来、プロジェクターは、光源から射出された光束を光変調装置で画像情報に基づいて変調して光学像を形成し、その光学像を投写レンズ装置でスクリーン上に拡大投写する構成となっている。このようなプロジェクターは、光変調装置を駆動する変調装置駆動回路ユニット、光源を駆動する光源駆動ユニット（いわゆるバラスト）、光学ユニット及び光源駆動ユニットを制御する制御回路ユニットや、光源駆動ユニット及び制御回路ユニットに電力を供給する電源ユニット等を備えている。なお、プロジェクターは、近年、高輝度化が進んでいる。
【０００３】
電源ユニットを含め光源駆動ユニットは、外部電源からの電力を所定の電圧に変換する変圧用のコイルや、電力蓄積用のコンデンサー、抵抗等を備えており、電磁障害となる電磁波が放射されやすく、ノイズ源となりやすい。特に、プロジェクターの高輝度化により、光源駆動ユニットから光源に供給される電力は増大したことにより、更にこの問題が顕著になっている。また、変調装置駆動回路ユニット等もノイズ源となりやすい。これらのユニットから発生したノイズは、制御回路ユニットに影響を与える。このため、ノイズの発生源であるこれらユニットをシールド部材で覆うことでシールドを行ったり、制御回路ユニット自体もシールド部材で覆うことでシールドを行ったりしていた。
【０００４】
なお、特許文献１では、電気光学装置（光変調装置）を制御する制御ブロック、電源ブロック、光源駆動ブロックの順でプロジェクターの厚さ方向に積層配置することで、電源ブロックがシールド部材により電磁波遮蔽されていれば、電源ブロックからの電磁波を遮蔽すると共に、光源駆動ブロックから電源ブロック及び制御ブロックへの電磁波も遮蔽できることが開示されている。
【０００５】
また、従来、プロジェクターの外装を構成する外装筐体は、上ケースと下ケース等により構成されている。そして、下ケースに、上記各ユニットを収容している。また、制御回路ユニットは、収容される下ケースにおいて、光源駆動ユニットや電源ユニット等の上部近傍に配置される配置構造が一般的な構造となっている。また、制御回路ユニットを交換する際には、制御回路ユニットの配置構造により、上ケースを下ケースから取り外すことで、上部に位置する制御回路ユニットを交換することが行われている。
【先行技術文献】
【特許文献】
【０００６】
【特許文献１】特許第３８７０７９１号公報
【発明の概要】
【発明が解決しようとする課題】
【０００７】
しかし、プロジェクターの高輝度化が更に進むことにより、ノイズ源となる電磁波の制御回路ユニットへの影響を更に低減させると共に、シールド構造の簡素化を図ることが課題となっていた。また、制御回路ユニットの配置構造により、制御回路ユニットは、制御回路を構成する回路素子自体の発熱に加えて、光源駆動ユニットや電源ユニット等の熱発生源からの放熱により、更に発熱させられるという課題があった。また、制御回路ユニットを交換する際には、構造上、机上に設置したプロジェクターの外装筐体を反転させた後、ネジを外し、その後、再度外装筐体を反転させて、上ケースを取り外すことが必要であり、制御回路ユニットの交換に工数がかかるという課題があった。
従って、制御回路ユニットへの電磁波の影響を更に低減し、シールド構造の簡素化を図り、また、制御回路ユニットの発熱が抑制され、制御回路ユニットの交換を含むメンテナンス性の向上を図れるプロジェクターが要望されていた。
【課題を解決するための手段】
【０００８】
本発明は、上述した課題の少なくとも一部を解決するためになされたものであり、以下の形態または適用例として実現することが可能である。
【０００９】
（適用例１）本適用例に係るプロジェクターは、光源から射出された光束を画像情報に基づき変調して光学像を形成し、光学像を拡大投写する光学ユニットを備えたプロジェクターであって、光源を駆動する光源駆動ユニットと、光学ユニット及び光源駆動ユニットを制御する制御回路ユニットと、光源駆動ユニット及び制御回路ユニットに電力を供給する電源ユニットと、光学ユニット、光源駆動ユニット、制御回路ユニット、及び電源ユニットを収容する外装筐体と、を備え、外装筐体は、厚さ方向に外装筐体を分割する隔壁を有し、隔壁で分割された一方の外装筐体には、制御回路ユニットが収容されることを特徴とする。
【００１０】
このようなプロジェクターによれば、厚さ方向に外装筐体を分割する隔壁により、制御回路ユニットと、光源駆動ユニット及び電源ユニットとの空間距離を離すことができるため、制御回路ユニットに対して、光源駆動ユニット及び電源ユニットからの電磁波の影響を低減させることができる。また、光源駆動ユニット及び電源ユニットをシールド部材でシールドする場合には、制御回路ユニットをシールド部材でシールドする必要がなく、シールド構造の簡素化を図ることができる。また、制御回路ユニットに対して、光源駆動ユニット及び電源ユニットからの熱の影響を低減させることができる。
【００１１】
（適用例２）上記適用例に係るプロジェクターにおいて、一方の外装筐体には、制御回路ユニットを覆うと共に、着脱自在に設置される筐体を有していることが好ましい。
【００１２】
このようなプロジェクターによれば、一方の外装筐体に有する筐体を取り外すことで、制御回路ユニットを着脱することができるため、制御回路ユニットのメンテナンス性の向上を図ることができる。
【００１３】
（適用例３）上記適用例に係るプロジェクターにおいて、外装筐体を机上に設置した場合、一方の外装筐体は、他方の外装筐体より下側に配置されていることが好ましい。
【００１４】
このようなプロジェクターによれば、一方の外装筐体が他方の外装筐体より下側に配置されることにより、制御回路ユニットが、発熱量の多い光源駆動ユニットや電源ユニットの下側に配置される。なお、熱で温められた内気（外装筐体内部の空気）は通常、上方に移動することから、光源駆動ユニットや電源ユニットで発熱した熱が、内気により下側に配置される制御回路ユニットに伝熱されることを抑制することができる。従って、制御回路ユニットへの熱の影響を更に低減させることができる。
【００１５】
（適用例４）上記適用例に係るプロジェクターにおいて、隔壁を通して、一方の外装筐体と他方の外装筐体とを連通する貫通孔を有し、制御回路ユニットは、貫通孔を介して他方の外装筐体に収容される光学ユニット、光源駆動ユニット、及び電源ユニットの少なくともいずれかと、ケーブルにより電気的に接続されていることが好ましい。
【００１６】
このようなプロジェクターによれば、貫通孔により、制御回路ユニットと、他方の外装筐体に収容されるユニットとを容易に接続することができる。
【００１７】
（適用例５）上記適用例に係るプロジェクターにおいて、他方の外装筐体の内部には、光学ユニット、光源駆動ユニット、及び電源ユニットの少なくともいずれかと、制御回路ユニットとの間に電気的に接続されて中継する中継基板ユニットを備え、中継基板ユニットは、制御回路ユニットとケーブルにより電気的に接続することが好ましい。
【００１８】
このようなプロジェクターによれば、中継基板ユニットを備えることにより、ケーブルの数量を減らして制御回路ユニットと接続することができ、制御回路ユニットと、中継基板ユニットからのケーブルとの接続に要する工数、又は、取り外しに要する工数を低減することができる。従って、ケーブルの着脱を更に容易に行うことができる。また、ケーブルの数量を減らすことにより、上述した貫通孔も対応させて減らすことができるため、貫通孔を介しての熱の伝達も更に抑制でき、制御回路ユニットへの熱の影響を更に低減させることができる。
【００１９】
（適用例６）上記適用例に係るプロジェクターにおいて、貫通孔の近傍には、ケーブルの移動を規制する規制部が形成されていることが好ましい。
【００２０】
このようなプロジェクターによれば、ケーブルの移動を規制する規制部を形成することにより、制御回路ユニットにケーブルを接続する際や、接続を外す際に、ケーブルが貫通孔を介して他方の外装筐体内に入ってしまうことを防止できる。従って、制御回路ユニットにケーブルを着脱する工数を低減できる。
【図面の簡単な説明】
【００２１】
【図１】実施形態に係るプロジェクターの外観構成を示す斜視図。
【図２】プロジェクターの外観構成を示す斜視図。
【図３】プロジェクターの光学ユニットを模式的に示す平面図。
【図４】プロジェクターの内部構成を示す斜視図。
【図５】制御回路ユニットの外装筐体への組み立てを示す斜視図。
【図６】隔壁に制御回路ユニットを組み立てた状態を示す斜視図。
【発明を実施するための形態】
【００２２】
以下、実施形態を図面に基づいて説明する。
（実施形態）
【００２３】
図１、図２は、実施形態に係るプロジェクター１の外観構成を示す斜視図である。なお、図１は、プロジェクター１を上面１ｅ側から見た斜視図を示している。また、図２は、図１に示すプロジェクター１に対して、下面１ｆ側を上にして反転させた状態の斜視図を示している。図１、図２を参照して、プロジェクター１の外観構成を説明する。
【００２４】
本実施形態のプロジェクター１は、外観的に略直方体形状をなす外装筐体３を有している。ここで、図１を基準として、外装筐体３に対して、投写レンズ装置２７が延出している面を前面１ａとする。そして、前面１ａに向かって見た場合の左側の側面を左面１ｂ、右側の側面を右面１ｃとする。また、前面１ａに対向する面を後面１ｄ、前面１ａに向かって見た場合の上側の面を上面１ｅ、下側の面を下面１ｆとする。また、以降の説明において、方向を示す場合、面と同様に、図１を基準として、前面１ａに向かって見た場合を基準として、上方向（上側）、下方向（下側）、左方向（左側）、右方向（右側）、前方向（前側）、後方向（後側）として適宜使用する。
【００２５】
プロジェクター１の外装を形成する外装筐体３は、上ケース３１と下ケース３２とを有して構成されている。上ケース３１は、プロジェクター１の上面１ｅから、前面１ａ、左面１ｂ、右面１ｃ、及び後面１ｄの上側を覆う状態で形成される。また、下ケース３２は、下面１ｆから、前面１ａ、左面１ｂ、右面１ｃ、及び後面１ｄの下側を覆う状態で形成される。
【００２６】
プロジェクター１は、前面１ａの略中央に、投写レンズ装置２７が延出されて設置されている。また、前面１ａには、投写レンズ装置２７を挟んで、その左側に吸気用開口部（図示省略）を覆う吸気カバー３４、右側に排気用開口部（図示省略）を覆う排気カバー３５を備えている。また、前面１ａの投写レンズ装置２７の近傍には、リモコン（リモートコントローラー）からの赤外線の信号を受信する受光部３６を備えている。
【００２７】
プロジェクター１の上面１ｅは、湾曲した外面を有する外装筐体３で形成されている。左面１ｂには、プロジェクター１の機能の詳細を設定する等の操作スイッチ（図示省略）を有する操作パネル（図示省略）を備えている。右面１ｃには、後面１ｄ側に光源装置２１（図３参照）を交換する際に着脱する光源装置用カバー３７が設置されている。
【００２８】
プロジェクター１の後面１ｄには、下面１ｆ側で、前面１ａ側に向かって窪ませた凹部３２Ａに、複数の外部電子機器（図示省略）からの画像信号や音声信号等を入力するための複数の接続用入力端子４１を備えるインターフェース部４が設置されている。また、インターフェース部４には、右側端部に、電源ケーブル（図示省略）と接続する電力供給用のインレットコネクター４２等が設置されている。また、後面１ｄには、上面１ｅ側中央に、前面１ａに設置される受光部３６と同様の受光部３８が設置されている。
【００２９】
下面１ｆには、下面１ｆの外周側を除く領域を覆い、下ケース３２に着脱自在に設置されるカバー用筐体３３が設置されている。カバー用筐体３３の詳細は後述する。また、下面１ｆには、プロジェクター１の投写角度の調整を行う脚部３９を備えている。なお、脚部３９は、前面１ａ側の両端部に２つの調整脚部３９１と、後面１ｄ側の略中央に１つの固定された固定脚部３９２とを備えている。調整脚部３９１は、下ケース３２の下面１ｆから進退自在に突出する軸状部材（図示省略）を有して構成されている。軸状部材は、外装筐体３内部に収容されている。軸状部材は、前面１ａ下部の調整ボタン３９３を押圧操作することにより下面１ｆからの進退量を調整することができる。
【００３０】
図３は、プロジェクター１の光学ユニット２を模式的に示す平面図である。図３を参照して、プロジェクター１の光学ユニット２の構成及び動作を簡潔に説明する。
【００３１】
本実施形態の光学ユニット２は、外装筐体３内部に設置されている。光学ユニット２は、制御部の制御により、光源装置２１から射出された光束を３つの色光に分離し、分離された色光毎に光変調装置で変調して光学像を形成し、形成された色光毎の光学像を色合成光学装置で合成し、合成された光学像を画像光として投写するユニットである。
【００３２】
光学ユニット２は、光源装置２１、照明光学装置２２、色分離光学装置２３、リレー光学装置２４、光学装置２５、及び投写光学装置としての投写レンズ装置２７を備えて構成されている。また、光学ユニット２は、これらの光学装置２１〜２５を構成する光学部品等を所定位置に収容する光学部品用筐体２６を備えている。
【００３３】
光源装置２１は、光源としての光源ランプ２１１、及びリフレクター２１２等を備えている。光源装置２１は、光源ランプ２１１の発光により射出された光束をリフレクター２１２によって反射させて射出方向を揃え、照明光学装置２２に向けて射出する。なお、光源ランプ２１１は、超高圧水銀ランプを採用している。
【００３４】
照明光学装置２２は、光源装置２１から射出された光束に対し、照明光軸Ｘに直交する面内での照度を均一化するものである。照明光学装置２２は、第１レンズアレイ２２１、第２レンズアレイ２２２、偏光変換素子２２３、及び重畳レンズ２２４を備えている。また、照明光学装置２２は、３つのフィールドレンズ２２５を備えている。
【００３５】
色分離光学装置２３は、照明光学装置２２からの照明光束を赤色（Ｒ）光、緑色（Ｇ）光、及び青色（Ｂ）光の３つの色光に分離し、対応する３つの光変調装置（液晶パネル２５２）に導光するものである。色分離光学装置２３は、２枚のダイクロイックミラー２３１，２３２、及び反射ミラー２３３を備えている。
【００３６】
リレー光学装置２４は、色分離光学装置２３で分離された色光（本実施形態ではＲ光）に対し、光路の長さが他の色光（Ｇ光、Ｂ光）の光路の長さよりも長くなるため、光の発散等による光の利用効率の低下を防止し、光変調装置（本実施形態ではＲ光用光変調装置）まで導くものである。リレー光学装置２４は、入射側レンズ２４１、リレーレンズ２４３、及び反射ミラー２４２，２４４を備えている。
【００３７】
光学装置２５は、各光変調装置に入射した各色光を画像信号に基づいて変調して光学像を形成し、形成された色光毎の光学像を、色合成光学装置で合成し、合成された光学像を画像光として投写レンズ装置２７に射出するものである。光学装置２５は、光変調装置を構成する３つの透過型の液晶パネル２５２（Ｒ光用液晶パネル２５２Ｒ、Ｇ光用液晶パネル２５２Ｇ、Ｂ光用液晶パネル２５２Ｂ）、３つの入射側偏光板２５１、３つの射出側偏光板２５４、及び色合成光学装置としてのクロスダイクロイックプリズム２５５を備えている。
【００３８】
投写レンズ装置２７は、入射する画像光をズーム調整する機能、及びフォーカス調整する機能を有し、光学装置２５で形成された画像光をスクリーンＳＣに拡大投写するものである。投写レンズ装置２７は、１つ又は複数のレンズを１つのレンズ群として、複数のレンズ群を備えている。
なお、上述した各光学装置２１〜２５及び投写レンズ装置２７に関しては、種々の一般的なプロジェクターの光学系として利用されているため、詳細な説明を省略する。
【００３９】
図４は、プロジェクター１の内部構成を示す斜視図である。なお、図４は、図１の状態から外装筐体３の上ケース３１を外した状態を示している。図４を参照して、プロジェクター１の内部構成を簡潔に説明する。
【００４０】
プロジェクター１の外装筐体３内部には、プロジェクター１の装置本体が収容されている。装置本体は、大略、光学ユニット２、プロジェクター１の動作を制御する制御部（図示省略）を含む制御回路ユニット５（図５参照）、中継基板ユニット６、電源装置７、冷却装置８等を備えている。
【００４１】
光学ユニット２は、外装筐体３内部の左右方向に延びる平面視略Ｌ字状をなしている。光学ユニット２は、一方の端部に、光源装置２１が着脱自在に設置されている。また、光学ユニット２は、他方の端部に、前方向に向かって投写レンズ装置２７が設置され、下ケース３２から延出している。光源装置２１は、相対して着脱自在に設置される光源装置用カバー３７を着脱して、交換することができる。
【００４２】
電源装置７は、プロジェクター１の各構成部に電力を供給する装置である。電源装置７は、電源ユニット７１と光源駆動ユニット（バラスト）７２とを有して構成されている。電源ユニット７１は、インレットコネクター４２に接続された電源ケーブル（図示省略）を通して、外部から供給された電力を、光源駆動ユニット７２や後述する制御回路ユニット５等に供給する。電源ユニット７１は、詳細には、電源ケーブルを通して入力される交流を定電圧の直流に変換する図示しないトランスやトランスからの出力を所定の電圧に変換する変換回路等が実装されている。また、光源駆動ユニット７２は、光源装置２１（光源ランプ２１１）を駆動する電力を供給する。光源駆動ユニット７２は、詳細には、電源ユニット７１からの電力を所定の電力に変圧するトランスや、電力蓄積用のコンデンサー、抵抗等が実装されている。
【００４３】
電源装置７は、外装筐体３内部の光学ユニット２の左方向に設置されている。詳細には、光学ユニット２の左方向の近傍に、前後方向に延びる形態で電源ユニット７１が設置され、電源ユニット７１の左方向に隣接して平行に光源駆動ユニット７２が設置されている。なお、電源ユニット７１及び光源駆動ユニット７２は、前後方向が開口された矩形状で筒状のシールド部材７１Ａ，７２Ａで、それぞれの周囲を覆われている。
【００４４】
シールド部材７１Ａ，７２Ａは、電源ユニット７１及び光源駆動ユニット７２から外部への電磁波（電磁ノイズ）の漏れを防止している。また、シールド部材７１Ａ，７２Ａは、電源ユニット７１及び光源駆動ユニット７２の発熱する回路素子を冷却するための空気を誘導するダクトとしての機能も有している。
【００４５】
冷却装置８は、プロジェクター１の発熱する構成部を外気により冷却する装置である。冷却装置８は、第１冷却ユニット８１と第２冷却ユニット８２と第３冷却ユニット８３とを有して構成されている。
【００４６】
第１冷却ユニット８１は、吸気カバー３４に相対して形成される吸気用開口部（図示省略）に接続して設置される。第１冷却ユニット８１は、吸気ダクト８１１と吸気ファン８１２を有して構成されている。吸気ファン８１２が駆動することにより、外装筐体３外部の外気を吸気ダクト８１１内に流動させ、電源装置７、光学ユニット２の発熱した部品に外気を吹き付けて熱を奪い冷却する。
【００４７】
第２冷却ユニット８２は、外装筐体３内部の空気（内気）を、光源装置２１に吹き付けて熱を奪い冷却するユニットである。第２冷却ユニット８２は、吸気ダクト８２１と吸気ファン８２２とを有して構成されている。
【００４８】
第３冷却ユニット８３は、第１冷却ユニット８１及び第２冷却ユニット８２の動作により温まった内気を吸気して、プロジェクター１の外部に排気するユニットである。第３冷却ユニット８３は、排気カバー３５に相対して形成される排気用開口部（図示省略）に接続して設置される。第３冷却ユニット８３は、排気ダクト８３１と排気ファン８３２とを有して構成されている。なお、第３冷却ユニット８３は、動作することにより、後述する制御回路ユニット５の発熱する回路素子の熱も奪ってプロジェクター１の外部に排気することで、制御回路ユニット５の発熱する回路素子も冷却する。
【００４９】
中継基板ユニット６は、光学ユニット２、電源ユニット７１、及び光源駆動ユニット７２の少なくともいずれかと、制御回路ユニット５との間に電気的に接続されて信号の中継を行う。中継基板ユニット６は、第１中継基板６１と第２中継基板６２とを有して構成されている。
【００５０】
第１中継基板６１は、電源ユニット７１のシールド部材７１Ａの上面に設置される。第１中継基板６１は、矩形状の基板本体６１１を有し、基板本体６１１の外縁部に複数のコネクター６１２と、制御回路ユニット５と接続するための第１コネクター６１３とが実装されている。
【００５１】
第１中継基板６１は、外装筐体３内部を左右に２分した場合の左側に設置される光学ユニット２、電源装置７（電源ユニット７１、光源駆動ユニット７２）、冷却装置８等、に設置されるセンサー関係や信号伝達関係の複数のケーブル（図示省略）と接続されている。そして、第１中継基板６１は、その接続されたセンサー関係や信号伝達関係のラインを、第１コネクター６１３に集めるように配線されている。そして、第１中継基板６１は、第１コネクター６１３と接続する第１ケーブル９１（図５、図６参照）により、制御回路ユニット５に接続している。従って、本実施形態では、第１中継基板６１を備えることにより、光学ユニット２、電源装置７、冷却装置８等に設置される複数のケーブル（図示省略）を、１つの第１ケーブル９１に集約して、制御回路ユニット５と接続するケーブルの数量を減らしている。
【００５２】
第２中継基板６２は、排気ダクト８３１の上面に設置される。第２中継基板６２も第１中継基板と同様に構成され、同様の働きを行う。詳細には、第２中継基板６２は、矩形状の基板本体６２１を有し、外縁部に複数のコネクター６２２と、制御回路ユニット５と接続するための第２コネクター６２３とが実装されている。
【００５３】
第２中継基板６２は、外装筐体３内部を左右に２分した場合の右側に設置される光学ユニット２、冷却装置８等、に設置されるセンサー関係や信号伝達関係の複数のケーブル（図示省略）と接続されている。そして、第２中継基板６２は、その接続されたセンサー関係や信号伝達関係のラインを、第２コネクター６２３に集めるように配線されている。そして、第２中継基板６２は、第２コネクター６２３と接続する第２ケーブル９２（図５、図６参照）により、制御回路ユニット５に接続している。従って、本実施形態では、第２中継基板６２を備えることにより、光学ユニット２、冷却装置８等に設置される複数のケーブル（図示省略）を、１つの第２ケーブル９２に集約して、制御回路ユニット５と接続するケーブルの数量を減らしている。
【００５４】
図５は、制御回路ユニット５の外装筐体３への組み立てを示す斜視図である。なお、図５は、図１に示すプロジェクター１に対して、下面１ｆ側を上にして反転させた状態の斜視図を示している。図５を参照して、外装筐体３に形成される隔壁１０の構成、制御回路ユニット５の構成、及びカバー用筐体３３の構成を含め、制御回路ユニット５の外装筐体３への組み立てを説明する。
【００５５】
本実施形態の外装筐体３は、前述したように、上ケース３１と下ケース３２とを有して構成されている。そして、下ケース３２には、下面１ｆ側に対して窪んだ状態で形成される隔壁１０が構成されている。隔壁１０は、外装筐体３を厚さ方向（上下方向）に分割する壁である。隔壁１０は、詳細には、外装筐体３を厚さ方向（上下方向）に２分割している。
【００５６】
隔壁１０よりも下方向の外装筐体３（一方の外装筐体３）は、隔壁１０よりも下方向の下ケース３２とカバー用筐体３３とで構成される。また、隔壁１０よりも上方向の外装筐体３（他方の外装筐体３）は、隔壁１０よりも上方向の下ケース３２と上ケース３１とで構成される。言い換えると、一方の外装筐体３（外装筐体３Ａ）が他方の外装筐体３（外装筐体３Ｂ）より下側に配置される。
なお、以降の説明において、一方の外装筐体３を外装筐体３Ａと称し、同様に、他方の外装筐体３を外装筐体３Ｂと称して適宜使用する。
【００５７】
なお、外装筐体３Ａの内部には、制御回路ユニット５が収容される。そして、外装筐体３Ｂの内部には、制御回路ユニット５以外の構成ユニット（図４で説明した、光学ユニット２、中継基板ユニット６、電源装置７、及び冷却装置８等）が収容される。
【００５８】
隔壁１０には、制御回路ユニット５を案内する４つの案内突起部１０１が突出して形成されている。隔壁１０には、制御回路ユニット５を固定する４つの固定孔部１０２が形成されている。また、隔壁１０には、カバー用筐体３３を固定する５つの固定孔部１０３が形成されている。また、隔壁１０には、後側端部に、制御回路ユニット５の後述するインターフェース部４の接続用入力端子４１のモールド部分を逃げる凹部１０４が複数形成されている。
【００５９】
制御回路ユニット５は、光学ユニット２及び光源駆動ユニット７２を含めて、プロジェクター１の動作を統括制御している。制御回路ユニット５は、外装筐体３Ａの隔壁１０に設置される。制御回路ユニット５は、略矩形状に形成されて隔壁１０を略覆う大きさの基板本体５１と、基板本体５１の後側端部に略垂直に設置されるインターフェース部４とを有して構成される。なお、制御回路ユニット５は、基板本体５１を覆いノイズ対策を行うシールド部材は備えていない。
【００６０】
インターフェース部４は、複数の接続用入力端子４１を有して構成されている。接続用入力端子４１として、コンポーネント信号を入力するＲＧＢ入力端子、ビデオ／Ｓビデオ入力端子、ＵＳＢ端子、オーディオ入力端子等が設置される。制御回路ユニット５は、インターフェース部４の接続用入力端子４１からの画像信号や音声信号を処理する制御部としての画像処理回路が基板本体５１に形成され、ＣＰＵやメモリー等の回路素子（図示省略）が実装されている。
【００６１】
制御回路ユニット５は、基板本体５１の左側端部に、第３コネクター５１３、第４コネクター５１４、第５コネクター５１５が実装されている。また、制御回路ユニット５は、基板本体５１の前側端部に、第１コネクター５１１、第６コネクター５１６が実装されている。また、制御回路ユニット５は、基板本体５１の右側端部に、第２コネクター５１２が実装されている。
【００６２】
また、基板本体５１には、隔壁１０への制御回路ユニット５の組み立て時の案内となる、左側辺部に２つ、基板本体５１右側に２つの、案内孔５２０が形成されている。また、基板本体５１には、角部近傍に、隔壁１０へ制御回路ユニット５を固定する際の４つの固定孔５２１が形成されている。
【００６３】
制御回路ユニット５が隔壁１０に収容された場合、制御回路ユニット５の基板本体５１の外形外の領域（本実施形態では、外装筐体３Ａの下ケース３２と隔壁１０との境界領域）には、第１コネクター５１１〜第６コネクター５１６に接続される第１ケーブル９１〜第６ケーブル９６を挿通するための貫通孔１４（第１貫通孔１４１〜第６貫通孔１４６）がそれぞれ対応して形成されている。第１貫通孔１４１〜第６貫通孔１４６の６つの貫通孔１４は、一方の外装筐体３（外装筐体３Ａ）と他方の外装筐体３（外装筐体３Ｂ）とを連通している。
【００６４】
カバー用筐体３３は、図２で説明したように、プロジェクター１の下面１ｆの外周側を除く領域を覆う部材である。言い換えると、図５に示すように、カバー用筐体３３は、外装筐体３Ａ（下ケース３２の隔壁１０）に収容された制御回路ユニット５を覆う部材である。また、カバー用筐体３３は、下ケース３２に着脱自在に設置され、制御回路ユニット５の交換時に着脱される。
【００６５】
カバー用筐体３３は、略矩形の板状に形成されるカバー本体３３１で構成されている。カバー本体３３１には、下ケース３２へカバー用筐体３３を固定する際の５つの固定孔３３２が角部近傍と辺部近傍に形成されている。また、カバー本体３３１には、脚部３９の固定脚部３９２が設置されている。
【００６６】
制御回路ユニット５の組み立ては、図５に示すように、最初に、プロジェクター１の下面１ｆ側を上にして反転させた状態とする。次に、隔壁１０に形成される案内突起部１０１を基準に、制御回路ユニット５の案内孔５２０を挿入し、制御回路ユニット５を隔壁１０に載置する。次に、制御回路ユニット５の固定孔５２１にネジ（図示省略）を挿通し、固定孔５２１に相対して形成された隔壁１０の固定孔部１０２にネジ締めすることにより、制御回路ユニット５を隔壁１０に固定する。次に、制御回路ユニット５の第１コネクター５１１〜第６コネクター５１６に対応させて、第１ケーブル９１〜第６ケーブル９６をそれぞれ接続する。なお、接続の詳細は後述する。
この動作により、制御回路ユニット５を隔壁１０に組み立てることができる。
【００６７】
なお、その後、外装筐体３Ａ（下ケース３２）の隔壁１０の外周に相当する下面１ｆにカバー用筐体３３を設置する。次に、カバー用筐体３３の固定孔３３２にネジ（図示省略）を挿通し、固定孔３３２に相対して形成された隔壁１０の固定孔部１０３にネジ締めすることにより、カバー用筐体３３を隔壁１０に固定する。これにより、プロジェクター１の組み立てが完了する。
【００６８】
図６は、隔壁１０に制御回路ユニット５を組み立てた状態を示す斜視図である。また、図６は、貫通孔１４の近傍に形成される規制部１５を示す図である。図５、図６を参照して、制御回路ユニット５への第１ケーブル９１〜第６ケーブル９６の接続に関して説明する。
【００６９】
隔壁１０の前側の領域に形成される第１貫通孔１４１からは、第１中継基板６１の第１コネクター６１３に接続された第１ケーブル９１が延出される。そして、第１ケーブル９１は、制御回路ユニット５の第１コネクター５１１に接続される。なお、第１ケーブル９１は、３０数本が束ねられたケーブルを用いている。
【００７０】
隔壁１０の右側の領域に形成される第２貫通孔１４２からは、第２中継基板６２の第２コネクター６２３に接続された第２ケーブル９２が延出される。そして、第２ケーブル９２は、制御回路ユニット５の第２コネクター５１２に接続される。なお、第２ケーブル９２は、第１ケーブル９１と同様に、３０数本が束ねられたケーブルを用いている。
【００７１】
隔壁１０の左側の領域に形成される第３貫通孔１４３からは、電源装置７に設置されたコネクター（図示省略）に接続された第３ケーブル９３が延出される。そして、第３ケーブル９３は、制御回路ユニット５の第３コネクター５１３に接続される。なお、第３ケーブル９３は、電源係のケーブルであり、数本が並べられたフラットなケーブルを用いている。
【００７２】
隔壁１０の左側の領域に形成される第４貫通孔１４４、第５貫通孔１４５からは、変調装置駆動回路ユニット（図示省略）に設置されたコネクター（図示省略）に接続された第４ケーブル９４、第５ケーブル９５がそれぞれ延出される。そして、第４ケーブル９４、第５ケーブル９５は、制御回路ユニット５の第４コネクター５１４、第５コネクター５１５にそれぞれ接続される。なお、第４ケーブル９４、第５ケーブル９５は、信号系のケーブルであり、本実施形態では、フレキシブルフラットケーブル（ＦＦＣ）で構成されている。また、第４ケーブル９４、第５ケーブル９５は、ノイズ対策として信号線を覆うようにシールド加工が施されている。
【００７３】
なお、変調装置駆動回路ユニットは、外装筐体３Ｂ内部の光学ユニット２の光学装置２５近傍に設置される。そして、変調装置駆動回路ユニットは、制御回路ユニット５の画像処理回路から出力される画像信号により、光学装置２５（光変調装置を構成する液晶パネル２５２）を駆動する。
【００７４】
隔壁１０の前側の領域に形成される第６貫通孔１４６からは、操作スイッチ部（図示省略）に接続される第６ケーブル９６が延出される。なお、第６ケーブル９６は、スイッチ信号用のケーブルであり、本実施形態では、フレキシブルフラットケーブル（ＦＦＣ）で構成されている。なお、操作スイッチ部は、外装筐体３の左面１ｂに設置されている。
【００７５】
図６に示すように、貫通孔１４の近傍には、規制部１５が形成されている。第１貫通孔１４１〜第６貫通孔１４６に対応して、第１規制部１５１〜第６規制部１５６がそれぞれ形成される。
【００７６】
詳細には、第１規制部１５１は、第１貫通孔１４１に接続して横方向に狭い孔として形成されている。第１ケーブル９１を第１コネクター５１１から外した際には、この第１規制部１５１に第１ケーブル９１を挟むことで、第１ケーブル９１が第１貫通孔１４１から外装筐体３Ｂ内部に入り込むことを防止する。
【００７７】
第２規制部１５２も、第１規制部１５１と同様に形成され、同様に動作する。従って、第２ケーブル９２を第２コネクター５１２から外した際には、この第２規制部１５２に第２ケーブル９２を挟むことで、第２ケーブル９２が第２貫通孔１４２から外装筐体３Ｂ内部に入り込むことを防止する。
【００７８】
第３規制部１５３も、第１規制部１５１と同様に形成され、同様に動作する。従って、第３ケーブル９３を第３コネクター５１３から外した際には、この第３規制部１５３に第３ケーブル９３を挟むことで、第３ケーブル９３が第３貫通孔１４３から外装筐体３Ｂ内部に入り込むことを防止する。
【００７９】
第４規制部１５４は、第４貫通孔１４４の近傍で、隔壁１０に突出して第４貫通孔１４４を断面方向で塞ぐ突起部として形成されている。第４ケーブル９４を第４コネクター５１４から外した際には、この第４規制部１５４と隔壁１０とに第４ケーブル９４が挟まれる状態となり、第４ケーブル９４が第４貫通孔１４４から外装筐体３Ｂ内部に入り込むことを防止する。
【００８０】
第５規制部１５５も、第４規制部１５４と同様に形成され、同様に動作する。従って、第５ケーブル９５を第５コネクター５１５から外した際には、この第５規制部１５５と隔壁１０とに第５ケーブル９５が挟まれる状態となり、第５ケーブル９５が第５貫通孔１４５から外装筐体３Ｂ内部に入り込むことを防止する。
【００８１】
第６規制部１５６も、第４規制部１５４と同様に形成され、同様に動作する。従って、第６ケーブル９６を第６コネクター５１６から外した際には、この第６規制部１５６と隔壁１０とに第６ケーブル９６が挟まれる状態となり、第６ケーブル９６が第６貫通孔１４６から外装筐体３Ｂ内部に入り込むことを防止する。
【００８２】
なお、外装筐体３Ｂに設置される冷却装置８は、制御回路ユニット５での発熱した熱を、貫通孔１４を介して外装筐体３Ｂ内部に流入させて、プロジェクター１外部に排気することにより、制御回路ユニット５を冷却している。詳細には、第２冷却ユニット８２及び第３冷却ユニット８３が駆動することにより、制御回路ユニット５が収容される外装筐体３Ａ内部の温まった空気（内気）を、貫通孔１４を介して外装筐体３Ｂ内部に流入させる。そして、第３冷却ユニット８３の駆動により、外装筐体３Ｂ内部に流入させた外装筐体３Ａ内部の内気を、外装筐体３Ｂ内部の内気と合わせて、プロジェクター１の外部に排気する。
【００８３】
上述した実施形態によれば、以下の効果が得られる。
本実施形態のプロジェクター１によれば、隔壁１０を有することにより、プロジェクター１の厚さ方向に外装筐体３を分割する。そして、隔壁１０で分割された一方の外装筐体３（外装筐体３Ａ）には、制御回路ユニット５が収容され、他方の外装筐体３（外装筐体３Ｂ）には、光学ユニット２、電源装置７（光源駆動ユニット７２、電源ユニット７１）等が収容される。これにより、制御回路ユニット５と電源装置７との空間距離を離すことができるため、制御回路ユニット５に対して、電源装置７から発生するノイズとしての電磁波の影響を低減させることができる。また、電源装置７をシールド部材７１Ａ，７２Ａでシールドするため、制御回路ユニット５をシールド部材でシールドする必要がなく、シールド構造の簡素化を図ることができる。また、制御回路ユニット５に対して、電源装置７からの熱の影響を低減させることができる。
【００８４】
本実施形態のプロジェクター１によれば、一方の外装筐体３（外装筐体３Ａ）に、制御回路ユニット５を覆うと共に、着脱自在に設置されるカバー用筐体３３を有している。これにより、制御回路ユニット５を取り外す手順として、最初に、下面１ｆが上側になるようにプロジェクター１を反転させ、カバー用筐体３３を固定するネジを外すことで、カバー用筐体３３を取り外すことができる。そして、続けて、制御回路ユニット５を取り外すことができる。また、逆の手順により、制御回路ユニット５を設置することができる。これに対して、従来の制御回路ユニットを取り外す手順として、制御回路ユニットの配置構造により、最初に、下面が上側になるようにプロジェクターを反転させ、下ケースにネジ止めされた上ケースを固定するためのネジを取り外す。次に、下面が下側になるようにプロジェクターを反転させて元の状態に戻す。次に、上ケースを取り外し、制御回路ユニットを取り外す。また、逆の手順により、制御回路ユニットを設置する。このように、従来に比較して、制御回路ユニット５の取り外しにかかる工数および設置にかかる工数を減らすことができる。従って、制御回路ユニット５のメンテナンス性の向上を図ることができる。
【００８５】
本実施形態のプロジェクター１によれば、一方の外装筐体３（外装筐体３Ａ）が他方の外装筐体３（外装筐体３Ｂ）より下側に配置されることにより、制御回路ユニット５が、発熱量の多い電源装置７（光源駆動ユニット７２、電源ユニット７１）の下側に配置される。なお、熱で温められた内気（外装筐体３内部の空気）は通常、上方に移動することから、電源装置７で発熱した熱が、内気により下側に配置される制御回路ユニット５に伝熱されることを抑制することができる。従って、制御回路ユニット５への熱の影響を更に低減させることができる。
【００８６】
本実施形態のプロジェクター１によれば、貫通孔１４を制御回路ユニット５の外形外の領域に設置することにより、ケーブル（第１ケーブル９１〜第６ケーブル９６）の着脱が制御回路ユニット５の外形に影響されずに容易に行うことができる。また、貫通孔１４は、ケーブル（第１ケーブル９１〜第６ケーブル９６）の数量に合わせて、６つの貫通孔１４（第１貫通孔１４１〜第６貫通孔１４６）を設置している。従って、貫通孔１４を介しての熱の伝達も抑制でき、制御回路ユニット５への熱の影響を低減させることができる。
【００８７】
本実施形態のプロジェクター１によれば、貫通孔１４を制御回路ユニット５の外形外の領域に設置することにより、他方の外装筐体３（外装筐体３Ｂ）に設置される冷却装置８により、制御回路ユニット５での発熱した熱を、この貫通孔１４を介して他方の外装筐体３（外装筐体３Ｂ）内部に流入させることができ、制御回路ユニット５を冷却することができる。
【００８８】
本実施形態のプロジェクター１によれば、外装筐体３Ｂ内部に中継基板ユニット６（第１中継基板６１、第２中継基板６２）を備えることにより、ケーブルの数量を減らして制御回路ユニット５と接続することができ、制御回路ユニット５と、中継基板ユニット６からのケーブルとの接続に要する工数、又は、取り外しに要する工数を低減することができる。従って、ケーブルの着脱を容易に行うことができる。また、制御回路ユニット５に接続するケーブルの数量を減らすことにより、上述した貫通孔１４も対応させて減らすことができるため、貫通孔１４を介しての熱の伝達も更に抑制でき、制御回路ユニット５への熱の影響を更に低減させることができる。
【００８９】
本実施形態のプロジェクター１によれば、ケーブル（第１ケーブル９１〜第６ケーブル９６）の移動を規制する規制部１５を形成することにより、制御回路ユニット５にケーブルを接続する際や、接続を外す際に、ケーブルが貫通孔１４を介して他方の外装筐体（外装筐体３Ｂ）の内部に入ってしまうことを防止できる。従って、制御回路ユニット５にケーブルを接続する工数を低減でき、組み立ての効率化を図ることができる。また、制御回路ユニット５の交換工数を低減でき、制御回路ユニット５のメンテナンスの効率化を図ることができる。
【００９０】
本実施形態のプロジェクター１によれば、規制部１５を形成することにより、貫通孔１４に対してケーブル（第１ケーブル９１〜第６ケーブル９６）のガタツキを抑制でき、プロジェクター１を使用する際に、良好な接続状態を維持させることができる。
【００９１】
なお、上述した実施形態に限定されず、その要旨を逸脱しない範囲において種々の変更や改良等を加えて実施することが可能である。変形例を以下に述べる。
【００９２】
前記実施形態のプロジェクター１において、中継基板ユニット６を設置することによりケーブルの数量を減らして、制御回路ユニット５に接続している。しかし、中継基板ユニット６を用いずに、必要なケーブルを制御回路ユニット５に直接接続してもよい。このような構成であっても、制御回路ユニット５に対して、電源装置７からの電磁波の影響を低減させることができる。
【００９３】
前記実施形態のプロジェクター１において、制御回路ユニット５を覆うと共に、着脱可能に設置される筐体としてのカバー用筐体３３を用いている。このカバー用筐体３３は、本実施形態では、制御回路ユニット５を覆う機能を有しているが、これに限られず、カバー用筐体は、プロジェクター１を構成し、電磁波を発生しない他の部材等を収容する筐体としての機能を併せて持たせることでもよい。
【００９４】
前記実施形態のプロジェクター１において、一方の外装筐体３Ａは、他方の外装筐体３Ｂより下側に配置されている。これは、プロジェクター１が一般的に机上に設置して使用されることに対応させたものである。しかし、これに限られず、プロジェクターの上下を逆転させて天井に吊り下げて使用されることが主となる場合には、一方の外装筐体３Ａは、他方の外装筐体３Ｂより上側に配置されていることでもよい。
【００９５】
前記実施形態のプロジェクター１において、外装筐体３は、大略、上ケース３１と下ケース３２とにより構成されているが、これに限られず、前面１ａを覆うケース等を有して構成されていてもよい。
【００９６】
前記実施形態のプロジェクター１において、隔壁１０は、下ケース３２に形成されている。しかし、隔壁１０は、外装筐体３を厚さ方向に分割できればよく、外装筐体３を構成するケースの数や種類には影響されない。
【００９７】
前記実施形態のプロジェクター１において、光学ユニット２は、Ｒ光、Ｇ光、Ｂ光に対応する３つの光変調装置を用いる、いわゆる３板方式を採用している。しかし、これに限られず、単板方式の光変調装置を採用してもよい。また、コントラストを向上させるための光変調装置を追加して採用してもよい。
【００９８】
前記実施形態のプロジェクター１において、光学ユニット２は、透過型の光変調装置（透過型の液晶パネル２５２）を採用している。しかし、これに限られず、反射型の光変調装置を採用してもよい。
【００９９】
前記実施形態のプロジェクター１において、光学ユニット２は、光変調装置として液晶パネル２５２を採用している。しかし、これに限られず、一般に、入射光束を画像信号に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【０１００】
前記実施形態のプロジェクター１において、光学ユニット２は、光源装置２１から射出された光束の照度を均一化する照明光学装置２２として、第１レンズアレイ２２１、第２レンズアレイ２２２からなるレンズインテグレーター光学系を採用している。しかし、これに限定されるものではなく、導光ロッドからなるロッドインテグレーター光学系も採用することができる。
【０１０１】
前記実施形態のプロジェクター１の光学ユニット２において、光源装置２１の光源ランプ２１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【０１０２】
１…プロジェクター、２…光学ユニット、３…外装筐体、３Ａ…外装筐体（一方の外装筐体）、３Ｂ…外装筐体（他方の外装筐体）、５…制御回路ユニット、６…中継基板ユニット、７…電源装置、１０…隔壁、１４…貫通孔、１５…規制部、３３…カバー用筐体、６１…第１中継基板、６２…第２中継基板、７１…電源ユニット、７２…光源駆動ユニット、９１〜９６…第１ケーブル〜第６ケーブル、１４１〜１４６…第１貫通孔〜第６貫通孔、１５１〜１５６…第１規制部〜第６規制部。
【図１】
2012008183.tif 000003
【図２】
2012008183.tif 000004
【図３】
2012008183.tif 000005
【図４】
2012008183.tif 000006
【図５】
2012008183.tif 000007
【図６】
2012008183.tif 000008